(57)【要約】【課題】システムに予め登録された組合せ階段や単一部品の仕様とは異なる仕様の組合せ階段や単一部品を登録できるようにして、汎用性を持たせた階段用ＣＡＤ／ＣＡＭシステムを提供する。【解決手段】階段を設計するＣＡＤシステム部１１と、階段の単一部品のＮＣ加工データを作成するＣＡＭシステム部１２とを含むＣＡＤ／ＣＡＭシステムにおいて、ＣＡＤシステム部１１は、階段を構成する単一部品を定義して登録する単一部品登録部１３と、組合せ階段を定義して登録する組合せ階段登録部１４とを備える。単一部品登録部１３は、単一部品を、部品識別コードと、各頂点の座標を仕様パラメータを変数として求める数式とによって定義して登録する。組合せ階段登録部１４は、組合せ階段を、組合せ階段識別コードと、単一部品の部品識別コード及び数量とによって定義して登録する。【選択図】図１
2013037582.tif 000002
【特許請求の範囲】
【請求項１】
建物の階段を設計するＣＡＤシステム部と、該ＣＡＤシステム部によって設計された階段のデータにしたがって、階段の単一部品のＮＣ加工データを作成するＣＡＭシステム部とを含む階段用ＣＡＤ／ＣＡＭシステムにおいて、
前記ＣＡＤシステム部は、前記階段を構成する単一部品を定義して登録する単一部品登録部と、複数の前記単一部品を組み合わせて得られる組合せ階段を定義して登録する組合せ階段登録部とを備えており、
前記単一部品登録部は、前記単一部品を、部品識別コードと、各頂点の座標を仕様パラメータを変数として求める数式とによって定義して登録するようになっており、
前記組合せ階段登録部は、前記組合せ階段を、組合せ階段識別コードと、含まれる前記単一部品の部品識別コード及び数量とによって定義して登録するようになっている階段用ＣＡＤ／ＣＡＭシステム。
【請求項２】
前記ＣＡＤシステム部は、前記階段を構成する基本階段を定義して登録する基本階段登録部を備えており、該基本階段登録部は、前記基本階段を、基本階段識別コードと、含まれる前記単一部品の部品識別コード及び数量とによって定義して登録するようになっている請求項１記載の階段用ＣＡＤ／ＣＡＭシステム。
【請求項３】
前記組合せ階段が前記基本階段を含んで構成される場合に、前記組合せ階段登録部は、前記組合せ階段を、含まれる前記基本階段の基本階段識別コード及び数量とを含んで定義して登録するようになっている請求項２記載の階段用ＣＡＤ／ＣＡＭシステム。
【請求項４】
前記階段を構成する単一部品が、前記単一部品登録部に既に登録されている単一部品とは異なる仕様のものである場合に、該異なる仕様の単一部品について、部品識別コードと、各頂点の座標を仕様パラメータを変数として求める数式とによって定義して、前記単一部品登録部に新たに登録するようになっている請求項１〜３のいずれか１項記載の階段用ＣＡＤ／ＣＡＭシステム。
【請求項５】
コンピュータを請求項１〜４のいずれか１項に記載の階段用ＣＡＤ／ＣＡＭシステムとして機能させるための階段用ＣＡＤ／ＣＡＭプログラム。
【請求項６】
コンピュータを請求項１〜４のいずれか１項に記載の階段用ＣＡＤ／ＣＡＭシステムとして機能させるための階段用ＣＡＤ／ＣＡＭプログラムを記録した読み取り可能な記録媒体。
【発明の詳細な説明】
【技術分野】
【０００１】
本発明は、建物の階段を設計するＣＡＤシステム部と、階段の単一部品のＮＣ加工データを作成するＣＡＭシステム部とを含む階段用ＣＡＤ／ＣＡＭシステムに関する。
【背景技術】
【０００２】
階段用ＣＡＤ／ＣＡＭシステムは、各種の市販の階段加工ソフトや階段パターンソフトをコンピュータに組み込むことで機能する公知のシステムであり、当該階段用ＣＡＤ／ＣＡＭシステムに予め登録されている特定の仕様の階段（例えば箱形、ささら等）について、例えば高さ、幅、段数、踊り場、廻り階段の種類や有無、回転角度等の各仕様パラメータを入力することで、ＮＣ加工機、溝堀り機、パネルソー等によって原材料から階段の単一部品を加工成形する際の単一部品形状（寸法、切欠き位置、穴あけ位置等）を決定して、ＮＣ加工データを作成したり、部品リストや組立図等を出力する役割を担うものである。
【０００３】
また、従来の階段用ＣＡＤ／ＣＡＭシステムとして、設置しようとする階段の仕様が予め登録されていなくても、登録されている階段の単一部品や基本階段の仕様が個々に登録されていれば、これらの部品を組み合わせて、新たな仕様の組合せ階段を設計できるようにしたものも開示されている（例えば、特許文献１参照）。
【先行技術文献】
【特許文献】
【０００４】
【特許文献１】特開平５−８１３８１号公報
【発明の概要】
【発明が解決しようとする課題】
【０００５】
しかしながら、上記従来の階段用ＣＡＤ／ＣＡＭシステムでは、建物に設置しようとする階段の仕様が予めシステムに登録されていなかったり、建物に設置しようとする階段の単一部品や基本階段の仕様が予めシステムに登録されていない場合には、設置しようとする階段を設計することができないことから、これらの階段の単一部品を加工するためのＮＣ加工データを作成することができない。これは上記従来の階段用ＣＡＤ／ＣＡＭシステムでは、単一部品の形状を決定する手続きである登録が、プログラム（コーディング）によって実施されているためである。
【０００６】
また、将来発生する組合せ階段や、これを構成する単一部品や基本階段の仕様を予め予測して、これらを登録しておくこと、すなわちプログラム（コーティング）しておくことは、これらの予測される組合せ階段や単一部品や基本階段を網羅しようとすると数が多くなりすぎて困難であると共に、予測し得ない組合せ階段や単一部品や基本階段の仕様を採用する必要を生じた場合には対応できなくなる。
【０００７】
このようなことから、建物に設置しようとする階段の仕様がシステムに予め登録されている組合せ階段の仕様とは異なっている場合や、建物に設置しようとする階段の単一部品の仕様がシステムに予め登録されている階段の単一部品の仕様とは異なっている場合や、建物に設置しようとする基本階段の仕様がシステムに予め登録されている基本階段の仕様とは異なっている場合でも、新たな仕様の組合せ階段や単一部品や基本階段をその都度登録できるようにして、汎用性を持たせることのできる階段用ＣＡＤ／ＣＡＭシステムの開発が望まれている。
【０００８】
本発明は、建物に設置しようとする階段の仕様がシステムに予め登録されている組合せ階段や基本階段の仕様とは異なっている場合や、建物に設置しようとする階段の単一部品の仕様がシステムに登録されている階段の単一部品の仕様とは異なっている場合でも、新たな仕様の組合せ階段や基本階段や単一部品をその都度登録できるようにして、汎用性を持たせることのできる階段用ＣＡＤ／ＣＡＭシステム、階段用ＣＡＤ／ＣＡＭプログラム、及び階段用ＣＡＤ／ＣＡＭプログラムを記録した読み取り可能な記録媒体を提供することを目的とする。
【課題を解決するための手段】
【０００９】
本発明は、建物の階段を設計するＣＡＤシステム部と、該ＣＡＤシステム部によって設計された階段のデータにしたがって、階段の単一部品のＮＣ加工データを作成するＣＡＭシステム部とを含む階段用ＣＡＤ／ＣＡＭシステムにおいて、前記ＣＡＤシステム部は、前記階段を構成する単一部品を定義して登録する単一部品登録部と、複数の前記単一部品を組み合わせて得られる組合せ階段を定義して登録する組合せ階段登録部とを備えており、前記単一部品登録部は、前記単一部品を、部品識別コードと、各頂点の座標を仕様パラメータを変数として求める数式とによって定義して登録するようになっており、前記組合せ階段登録部は、前記組合せ階段を、組合せ階段識別コードと、含まれる前記単一部品の部品識別コード及び数量とによって定義して登録するようになっている階段用ＣＡＤ／ＣＡＭシステムを提供することにより、上記目的を達成したものである。
【００１０】
そして、本発明の階段用ＣＡＤ／ＣＡＭシステムは、前記ＣＡＤシステム部が、前記階段を構成する基本階段を定義して登録する基本階段登録部を備えており、該基本階段登録部は、前記基本階段を、基本階段識別コードと、含まれる前記単一部品の部品識別コード及び数量とによって定義して登録するようになっていることが好ましい。
【００１１】
また、本発明の階段用ＣＡＤ／ＣＡＭシステムは、前記組合せ階段が前記基本階段を含んで構成される場合に、前記組合せ階段登録部は、前記組合せ階段を、含まれる前記基本階段の基本階段識別コード及び数量とを含んで定義して登録するようになっていることが好ましい。
【００１２】
さらに、本発明の階段用ＣＡＤ／ＣＡＭシステムは、前記ＣＡＤシステム部によって設計された階段を構成する単一部品が、前記単一部品登録部に既に登録されている単一部品とは異なる仕様のものである場合に、該異なる仕様の単一部品について、部品識別コードと、各頂点の座標を仕様パラメータを変数として求める数式とによって定義して、前記単一部品登録部に新たに登録するようになっていることが好ましい。
【００１３】
また、本発明は、コンピュータを上記階段用ＣＡＤ／ＣＡＭシステムとして機能させるための階段用ＣＡＤ／ＣＡＭプログラムを提供することにより、上記目的を達成したものである。
【００１４】
さらに、本発明は、コンピュータを上記階段用ＣＡＤ／ＣＡＭシステムとして機能させるための階段用ＣＡＤ／ＣＡＭプログラムを記録した読み取り可能な記録媒体を提供することにより、上記目的を達成したものである。
【発明の効果】
【００１５】
本発明の階段用ＣＡＤ／ＣＡＭシステム、階段用ＣＡＤ／ＣＡＭプログラム、又は階段用ＣＡＤ／ＣＡＭプログラムを記録した読み取り可能な記録媒体によれば、建物に設置しようとする階段の仕様がシステムに予め登録されている組合せ階段や基本階段の仕様とは異なっている場合や、設置しようとする階段の単一部品の仕様がシステムに予め登録されている階段の単一部品の仕様とは異なっている場合でも、新たな仕様の組合せ階段や基本階段や単一部品をその都度登録できるようにして、汎用性を持たせることができる。
【図面の簡単な説明】
【００１６】
【図１】本発明の好ましい一実施形態に係る階段用ＣＡＤ／ＣＡＭシステムのシステム構成図である。
【図２】本発明の好ましい一実施形態に係る階段用ＣＡＤ／ＣＡＭシステムを用いて作成されたＮＣ加工データによって階段の単一部品を加工するハードウェア構成の説明図である。
【図３】本発明の好ましい一実施形態に係る階段用ＣＡＤ／ＣＡＭシステムによる機能ステップを説明するフローチャートである
【図４】単一部品・基本階段・組合せ階段登録機能ステップを説明するフローチャートである
【図５】ＣＡＤ機能ステップを説明するフローチャートである。
【図６】ＣＡＭ機能ステップを説明するフローチャートである。
【図７】結果出力機能ステップを説明するフローチャートである。
【図８】（ａ）は、システムに予め登録されている組合せ階段を例示する平面図、（ｂ）は、システムに予め登録されている単一部品を例示する平面図である。
【図９】（ａ）は、システムに登録されていない組合せ階段を例示する平面図、（ｂ）は、システムに登録されていない単一部品を例示する平面図である。
【図１０】システムに登録されていない他の組合せ階段を例示する平面図である。
【発明を実施するための形態】
【００１７】
本発明の好ましい一実施形態に係る階段用ＣＡＤ／ＣＡＭシステム１０は、従来の公知の階段用ＣＡＤ／ＣＡＭシステムと同様に、予め登録されている種々の仕様の階段について、例えば高さ、幅、段数、踊り場、廻り階段の種類や有無、回転角度等の各仕様パラメータを入力することにより、原材料から階段の単一部品を加工成形する際の部品形状を決定して、例えばＮＣ加工データを作成する機能や、部品リストや組立図等を出力する機能を備えている。また、本実施形態の階段用ＣＡＤ／ＣＡＭシステム１０は、従来の階段用ＣＡＤ／ＣＡＭシステムと同様の機能に加えて、建物に設置しようとする階段の仕様がシステムに予め登録されている仕様の階段とは異なる場合でも、新たな仕様の組合せ階段や基本階段やこれらを構成する単一部品をシステムに追加して登録できるようにして、汎用性を持たせることのできる機能を備えている。さらに、本実施形態の階段用ＣＡＤ／ＣＡＭシステム１０は、単一部品の形状を決定する手続きを、プログラム（コーディング）から切り離してユーザが編集するデータファイルにユーザ自身で書き込む機能を備えることで、実現できるようになっている。
【００１８】
すなわち、本実施形態の階段用ＣＡＤ／ＣＡＭシステム１０は、図１に示すように、建物の階段を設計するＣＡＤシステム部１１と、ＣＡＤシステム部１１によって設計された階段のデータにしたがって、階段の単一部品のＮＣ加工データを作成するＣＡＭシステム部１２とを含むＣＡＤ／ＣＡＭシステムであり、ＣＡＤシステム部１１は、階段を構成する単一部品を定義して登録する単一部品登録部１３と、複数の単一部品を組み合わせて得られる組合せ階段を定義して登録する組合せ階段登録部１４とを備えている。単一部品登録部１３は、単一部品を、部品識別コードと、各頂点の座標を仕様パラメータを変数として求める数式とによって定義して登録するようになっており、組合せ階段登録部１４は、組合せ階段を、組合せ階段識別コードと、含まれる単一部品の部品識別コード及び数量とによって定義して登録するようになっている。
【００１９】
また、本実施形態の階段用ＣＡＤ／ＣＡＭシステム１０は、ＣＡＤシステム部１１が、階段を構成する基本階段を定義して登録する基本階段登録部１５を備えており、基本階段登録部１５は、基本階段を、基本階段識別コードと、含まれる単一部品の部品識別コード及び数量とによって定義して登録するようになっている。
【００２０】
本実施形態では、階段用ＣＡＤ／ＣＡＭシステム１０は、データベースサーバとして機能する公知のパーソナルコンピュータ等からなるコンピュータ１６に、当該階段用ＣＡＤ／ＣＡＭシステムとして機能させるための所定の階段用ＣＡＤ／ＣＡＭプログラムを組み込むことによって、コンピュータ１６の内部に形成される。コンピュータ１６としてのデータベースサーバは、ＣＰＵ、ＲＯＭ、ＲＡＭ、Ｉ／Ｆ、記憶手段、入力手段、表示手段、出力手段等を備えている。データベースサーバのＣＰＵは、ＲＯＭに組み込まれた制御プログラムに従って、ＲＡＭをワークエリアとして使用しながら、データベースサーバの全体の動作を制御する。また、ＣＰＵは、各種のコンピュータプログラムがＲＯＭに組み込まれていることにより、記憶手段、入力手段、表示手段、出力手段等を機能させると共に、組合せ階段や基本階段や単一部品の各仕様を記憶手段を介してデータ記憶部１７に記憶（登録）させ、また記憶（登録）させたこれらの仕様を、表示手段を介して表示部１８に表示させたり、出力手段を介して印刷部１９から出力させたりすることができるようになっている。ここで、コンピュータ１６を当該階段用ＣＡＤ／ＣＡＭシステムとして機能させるための所定の階段用ＣＡＤ／ＣＡＭプログラムは、当該階段用ＣＡＤ／ＣＡＭプログラムを記録したフロッピーディスク（登録商標）やＣＤ−ＲＯＭ等の読み取り可能な記録媒体から、コンピュータ１６に組み込むこともできる。
【００２１】
また、コンピュータ１６は、例えば当該コンピュータ１６に内蔵されたハードディスクからなるデータ記憶部１７、ディスプレイ装置からなる表示部１８、プリンタからなる印刷部１９、キーボードやマウスからなる入力部２０等と接続している。
【００２２】
そして、本実施形態の階段用ＣＡＤ／ＣＡＭシステム１０では、図３に示すように、単一部品・基本階段・組合せ階段登録機能ステップＳ1と、ＣＡＤ機能ステップＳ2と、ＣＡＭ機能ステップＳ3と、結果出力機能ステップＳ4とを経て、設置しようとする階段を構成する単一部品のＮＣ加工データが作成される。作成されたＮＣ加工データは、図２に示すように、例えばインターネットやイントラネット２１を介して有線又は無線で接続する加工機制御用コンピュータ２２に送られ、この加工機制御用コンピュータ２２を用いて制御される加工機２３によって、各単一部品が所定の形状に精度良く加工成形される。階段用ＣＡＤ／ＣＡＭシステム１０によって作成されたＮＣ加工データは、フロッピーディスク（登録商標）やＣＤ−ＲＯＭ等の外部記録媒体に記憶させて、加工機制御用コンピュータ２２に送ることもできる。
【００２３】
本実施形態によれば、単一部品・基本階段・組合せ階段登録機能ステップＳ1は、図４に示すように、単一部品登録ステップＳ11と、基本階段登録ステップＳ12と、組合せ階段登録ステップＳ13とからなる。なお、単一部品・基本階段・組合せ階段登録機能ステップＳ1において、建物に設置しようとする階段を構成する単一部品、基本階段、及び組合せ階段の全てがシステムに予め登録されていると判断された場合には、後続するＣＡＤ機能ステップＳ2において、当該登録されている単一部品や基本階段や組合せ階段を呼び出し、各々の仕様パラメータを入力することによって、ＣＡＤ機能による演算が行われて建物に設置しようとする所望の階段が設計されることになる。
【００２４】
単一部品登録ステップＳ11では、建物に設置しようとする所望の階段を構成する単一部品が、システムに既に登録されたものであるか否かを判断する。所望の階段を構成する単一部品が未登録である場合には、階段用ＣＡＤ／ＣＡＭシステム１０の単一部品登録部１３において、未登録の単一部品を、部品識別コードと、各頂点の座標を仕様パラメータを変数として求める数式とによって定義して登録する。所望の階段を構成する単一部品がシステムに予め登録されている場合には、次の基本階段登録ステップＳ12に移行する。
【００２５】
ここで、単一部品を定義する部品識別コードとしては、例えば部品の一般的な名称と番号とを組み合わせたもの等を用いることができる。各頂点の座標を仕様パラメータを変数として求める数式としては、当該階段用ＣＡＤ／ＣＡＭシステム１０に組み込まれたプログラムによって動作するものや、当該階段用ＣＡＤ／ＣＡＭシステム１０の外部の例えば表計算ソフトウェアによって動作するものを用いることができる。
【００２６】
基本階段登録ステップＳ12では、建物に設置しようとする所望の階段を構成する基本階段が、システムに既に登録されたものであるか否かを判断する。所望の階段を構成する基本階段が未登録である場合には、階段用ＣＡＤ／ＣＡＭシステム１０の基本階段登録部１５において、未登録の基本階段を、基本階段識別コードと、含まれる単一部品の部品識別コード及び数量とによって定義して登録する。所望の基本階段を構成する基本階段がシステムに予め登録されている場合には、次の組合せ階段登録ステップＳ13に移行する。
【００２７】
ここで、基本階段を定義する基本階段識別コードとしては、例えば基本階段の一般的な名称と番号とを組み合わせたもの等を用いることができる。単一部品の接合位置の座標を仕様パラメータを変数として求める数式としては、当該階段用ＣＡＤ／ＣＡＭシステム１０に組み込まれたプログラムによって動作するものや、当該階段用ＣＡＤ／ＣＡＭシステム１０の外部の例えば表計算ソフトウェアによって動作するものを用いることができる。
【００２８】
組合せ階段登録ステップＳ13では、建物に設置しようとする所望の階段を構成する組合せ階段が、システムに既に登録されたものであるか否かを判断する。所望の階段を構成する組合せ階段が未登録である場合には、階段用ＣＡＤ／ＣＡＭシステム１０の組合せ階段登録部１６において、未登録の組合せ階段を、組合せ階段識別コードと、含まれる単一部品の部品識別コード及び数量とによって定義して登録する。所望の基本階段を構成する組合せ階段がシステムに予め登録されている場合には、単一部品・基本階段・組合せ階段登録機能ステップＳ1を終了する。
【００２９】
また、組合せ階段登録ステップＳ13では、組合せ階段が基本階段を含んで構成される場合に、組合せ階段登録部１６は、組合せ階段を、含まれる基本階段の基本階段識別コード及び数量とを含んで定義して登録することができる。
【００３０】
ここで、組合せ階段を定義する組合せ階段識別コードとしては、例えば組合せ階段の一般的な名称と番号とを組み合わせたもの等を用いることができる。
【００３１】
なお、基本階段は、1又は２以上の単一部品で構成された、階段として完成しており、且つ組合せ階段を構成する部品とすることができる階段である。組合せ階段は、１又は２以上の基本階段や1又は２以上の単一部品で構成された、階段として完成しおり、且つ組合せ階段を構成する部品とすることはできない階段である。
【００３２】
また、本実施形態によれば、ＣＡＤ機能ステップＳ2は、図５に示すように、仕様パラメータ入力ステップＳ21と、基本階段選択又は組合せ階段選択ステップＳ22と、演算ステップＳ23とからなる。仕様パラメータ入力ステップＳ21では、単一部品登録部１３や組合せ階段登録部１４や基本階段登録部１５によって、部品識別コード又は組合せ階段識別コード又は基本階段識別コードや数式と共に例えばデータ記憶部１７に登録（記憶）されている所望の仕様の単一部品や組合せ階段や基本階段を取り出し、これらに対して必要な仕様パラメータを各々入力する。また基本階段選択又は組合せ階段選択ステップＳ22では、例えば表示部１８の１つである画面上に表示された、例えば階段構成表示フィールドと基本階段図表示フィールドと組合せ階段図表示フィールドとを設けた基本階段選択又は組合せ階段選択画面（例えば階段用ＣＡＤ／ＣＡＭシステムのソフトウェアにより提供される）を利用して、当該基本階段図表示フィールド又は組合せ階段図表示フィールドに表示されている基本階段図又は組合せ階段図から必要な基本階段又は組合せ階段を選び、階段構成表示フィールドに描画して、所望の階段の設計を進める。
【００３３】
しかる後に、所望の階段が設計されたか否かを判断して、所望の階段が完成したのを確認したら、演算ステップＳ23において、例えば登録されている単一部品や組合せ階段や基本階段を定義する種々の数式に従って演算を行って、ＣＡＤ機能ステップＳ2を終了する。ここで、単一部品の演算結果は、例えばＮＣ加工データの作成や部品リストの作成に資することになる。また、基本階段の演算結果は、例えば組立図の作成に資することになる。さらに、組合せ階段の演算結果は、例えば階段の選択や組立図の作成に資することになる。
【００３４】
本実施形態によれば、ＣＡＭ機能ステップＳ3は、図６に示すように、機械パラメータ入力ステップＳ31と、演算ステップＳ32とからなる。機械パラメータ入力ステップＳ31では、例えば階段用ＣＡＤ／ＣＡＭシステムのソフトウェアにより提供される機械パラメータ入力画面に入力部２０の機能を用いて入力する。入力項目は、例えば使用する加工機の番号、加工機に備えられた工具名（例えばドリル）、工具の仕様（例えばドリルの径）、加工テーブルの座標等である。機械パラメータ入力ステップＳ31の後に、演算ステップＳ32において演算を行って、ＣＡＭ機能ステップＳ3を終了する。
【００３５】
さらにまた、本実施形態によれば、結果出力機能ステップＳ4は、図７に示すように、単一部品のＮＣ加工データを出力するＮＣ加工データ出力ステップＳ41と、単一部品のリストを出力する部品リスト出力ステップＳ42と、建物に設置しようとする階段の組立図を出力する組立図出力ステップＳ43とからなる。ＮＣ加工データ出力ステップＳ41で出力された単一部品のＮＣ加工データは、上述のように、例えばインターネットやイントラネット２１を介して有線又は無線で接続する加工機制御用コンピュータ２２に送られて、各単一部品が、加工機制御用コンピュータ２２を用いて制御される加工機２３によって、所定の形状に精度良く加工成形されることになる。
【００３６】
そして、上述の構成を備える本実施形態の階段用ＣＡＤ／ＣＡＭシステム１０によれば、建物に設置しようとする階段の仕様がシステムに予め登録されている組合せ階段や基本階段の仕様とは異なっている場合や、設置しようとする階段の単一部品の仕様がシステムに予め登録されている階段の単一部品の仕様とは異なっている場合でも、新たな仕様の組合せ階段や基本階段や単一部品をその都度登録できるようにして、汎用性を持たせることが可能になる。
【００３７】
すなわち、本実施形態によれば、階段用ＣＡＤ／ＣＡＭシステム１０は、ＣＡＤシステム部１１に、階段を構成する単一部品を定義して登録する単一部品登録部１３と、組合せ階段を定義して登録する組合せ階段登録部１４とを備えており、単一部品登録部１３は、単一部品を、部品識別コードと、各頂点の座標を仕様パラメータを変数として求める数式とによって定義して登録するようになっており、組合せ階段登録部１４は、組合せ階段を、組合せ階段識別コードと、含まれる単一部品の部品識別コード及び数量とによって定義して登録するようになっている。したがって、建物に設置しようとする階段の仕様がシステムに予め登録されている組合せ階段の仕様とは異なっている場合や、設置しようとする階段の単一部品の仕様がシステムに予め登録されている階段の単一部品の仕様とは異なっている場合でも、これらの新しい仕様の組合せ階段や単一部品を、識別コードや、仕様パラメータを変数として求める数式と共に新たに登録して、これらに仕様パラメータを入力することで、建物に設置しようとする種々の階段を、仕様の変更等に対応させて容易に設計して、ＮＣ加工データ等を作成することが可能になる。
【００３８】
また、本実施形態によれば、ＣＡＤシステム部１１は、階段を構成する基本階段を定義して登録する基本階段登録部１５を備えており、基本階段登録部１５は、基本階段を、基本階段識別コードと、含まれる単一部品の部品識別コード及び数量とによって定義して登録するようになっている。これは、所望の階段を完成させるためには、完成品である組合せ階段のリストから１つ選ぶ方法と、１又は２以上の基本階段を基本階段のリストから選び出して構成する方法とがあり、組合せ階段のリストから選択する作業を軽減するには、組合せ階段の登録数が多数になるのを避けるために、単一部品と組合せ階段の中間的位置づけの基本階段を設けるようにしたものである。したがって、建物に設置しようとする階段の仕様がシステムに予め登録されている組合せ階段の仕様とは異なっている場合でも、組合せ階段は基本階段によって構成されることから、必要な基本階段を選択することにより、建物に設置しようとする階段を仕様の変更等に対応させて容易に設計して、ＮＣ加工データ等を作成することが可能になる。
【００３９】
なお、本発明は上記本実施形態に限定されることなく種々の変更が可能である。例えば、階段用ＣＡＤ／ＣＡＭシステムは、ＣＡＤシステム部に基本階段登録部が設けられている必要は必ずしもない。また、組合せ階段が基本階段を含んで構成される場合に、組合せ階段登録部は、組合せ階段を、含まれる基本階段の基本階段識別コード及び数量を含んで定義して登録するようにすることもできる。
【実施例】
【００４０】
以下、実施例により、本発明の階段用ＣＡＤ／ＣＡＭシステムをさらに詳細に説明するが、本発明はこれらに限定されるものではない。
【００４１】
図８（ａ）、（ｂ）に示すように、例えば「直階段＋２段廻り階段＋２段廻り階段＋直階段」で構成される組合せ階段、及び該組合せ階段の単一部品が、システムに予め登録されている一方で、建物に設置しようとする所望の階段が、例えば図９（ａ）に示すように、「踊り場＋直階段＋２段廻り階段＋２段廻り階段＋直階段」である場合に、システムに登録されていない新たな単一部品である、図９（ｂ）に示す「踊り場」と、図９（ａ）に示す「踊り場＋直階段＋２段廻り階段＋２段廻り階段＋直階段」の組合せ階段を、単一部品登録部や組合せ階段登録部によって新たに登録する。
【００４２】
すなわち、「踊り場」の単一部品を、単一部品登録部によって、部品識別コード（例えば「踊り場１」）と、各頂点の座標を仕様パラメータを変数として求める数式とによって定義して登録する。また「踊り場＋直階段＋２段廻り階段＋２段廻り階段＋直階段」の組合せ階段を、組合せ階段登録部によって、組合せ階段識別コード（例えば「踊り場付き階段１」）と、含まれる単一部品の部品識別コード及び数量とによって定義して登録する。
【００４３】
これらによって、新たに登録された組合せ階段に仕様パラメータを入力したり、新たに登録された単一部品を含む新たな基本階段を必要時に定義して登録したりすることで、建物に設置しようとする所望の階段を容易に設計することが可能になると共に、設計された所望の階段の組立図や、単一部品のＮＣ加工データ等を、容易に得ることが可能になる。
【００４４】
また、「踊り場＋直階段＋２段廻り階段＋２段廻り階段＋直階段」の組合せ階段の仕様や、「踊り場」の単一部品の仕様が新たに登録されることで、例えば図１０に示すような、「直階段＋踊り場＋２段廻り階段＋直階段」の組合せ階段も容易に設計することが可能になると共に、これの組立図や単一部品のＮＣ加工データ等を容易に得ることが可能になる。
【符号の説明】
【００４５】
１０  階段用ＣＡＤ／ＣＡＭシステム
１１  ＣＡＤシステム部
１２  ＣＡＭシステム部
１３  単一部品登録部
１４  組合せ階段登録部
１５  基本階段登録部
１６  コンピュータ
１７  データ記憶部
１８  表示部
１９  印刷部
２０  入力部
２１  インターネット又はやイントラネット
２２  加工機制御用コンピュータ
２３  加工機
【図１】
2013037582.tif 000003
【図２】
2013037582.tif 000004
【図３】
2013037582.tif 000005
【図４】
2013037582.tif 000006
【図５】
2013037582.tif 000007
【図６】
2013037582.tif 000008
【図７】
2013037582.tif 000009
【図８】
2013037582.tif 000010
【図９】
2013037582.tif 000011
【図１０】
2013037582.tif 000012